【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
第１基板、前記第１基板に対向し共通電極が形成されている第２基板、および前記第１基板および前記第２基板の間に位置する液晶層を含む液晶表示装置において、
前記第１基板は、
複数の画素を定義するデータ線およびゲート線と、
前記データ線およびゲート線に電気的に接続されている薄膜トランジスタと、
前記薄膜トランジスタに電気的に接続されている画素電極と、
互いに異なる色の第１サブカラーフィルター、第２サブカラーフィルターおよび第３サブカラーフィルターを含むカラーフィルターと、
前記画素間の境界に位置した前記カラーフィルターの上に前記データ線に対して平行に形成されており、共通電圧が印加される遮蔽電極と、
を含み、
前記遮蔽電極の下部の前記カラーフィルターは前記第２基板に向かって突出している凸部を含み、
前記画素は前記第１サブカラーフィルターが形成されている第１画素、前記第２サブカラーフィルターが形成されている第２画素、および前記第３サブカラーフィルターが形成されている第３画素を含み、
前記第１画素と前記第２画素の間の前記データ線に沿う第１境界で、前記第３サブカラーフィルターが前記第１サブカラーフィルターおよび前記第２サブカラーフィルターの間で前記凸部を形成することを特徴とする液晶表示装置。
【請求項２】
前記第２画素と前記第３画素の間の前記データ線に沿う第２境界で、前記第３サブカラーフィルターが前記凸部を形成し、
前記第１画素と第３画素の間の前記データ線に沿う第３境界で、前記第３サブカラーフィルターが前記凸部を形成することを特徴とする、請求項１に記載の液晶表示装置。
【請求項３】
前記第１境界で前記第１サブカラーフィルターと前記第２サブカラーフィルターは互いに離間していることを特徴とする、請求項２に記載の液晶表示装置。
【請求項４】
前記第１サブカラーフィルターは赤色、前記第２サブカラーフィルターは緑色、前記第３サブカラーフィルターは青色であることを特徴とする、請求項３に記載の液晶表示装置。
【請求項５】
前記薄膜トランジスタは第１薄膜トランジスタと第２薄膜トランジスタを含み、
前記画素電極は前記第１薄膜トランジスタに電気的に接続されている第１画素電極と、前記第１画素電極と分離されており前記第２薄膜トランジスタに電気的に接続されている第２画素電極とを含むことを特徴とする、請求項４に記載の液晶表示装置。
【請求項６】
前記第１薄膜トランジスタと前記第２薄膜トランジスタは同一の前記ゲート線に接続されていることを特徴とする、請求項５に記載の液晶表示装置。
【請求項７】
前記データ線は前記第１薄膜トランジスタに接続されている第１データ線と、前記第２薄膜トランジスタに接続されている第２データ線とを含むことを特徴とする、請求項６に記載の液晶表示装置。
【請求項８】
前記画素電極には画素電極切開パターンが形成されており、
前記共通電極には共通電極切開パターンが形成されており、
前記液晶層は垂直配向（ｖｅｒｔｉｃａｌ  ａｌｉｇｎｍｅｎｔ）モードであることを特徴とする、請求項７に記載の液晶表示装置。
【請求項９】
前記遮蔽電極は前記第１データ線と前記第２データ線を覆っていることを特徴とする、請求項７に記載の液晶表示装置。
【請求項１０】
前記遮蔽電極は前記画素電極と同一の層であることを特徴とする、請求項７に記載の液晶表示装置。
【請求項１１】
前記第１基板は、
前記画素間の境界で前記データ線に沿って形成されている光遮断膜をさらに含むことを特徴とする、請求項７に記載の液晶表示装置。
【請求項１２】
前記光遮断膜はフローティング状態であることを特徴とする、請求項１１に記載の液晶表示装置。
【請求項１３】
前記ゲート線の延長方向への前記光遮断膜の両端のうちの少なくともいずれか１つは前記第１データ線と前記第２データ線の間に位置することを特徴とする、請求項１２に記載の液晶表示装置。
【請求項１４】
前記第１境界で前記光遮断膜は前記第２画素の方向に偏って形成されていることを特徴とする、請求項１２に記載の液晶表示装置。
【請求項１５】
前記第２境界で前記光遮断膜は前記第２画素の方向に偏って形成されていることを特徴とする、請求項１２に記載の液晶表示装置。
【請求項１６】
前記第３境界で前記光遮断膜は前記第１画素の方向に偏って形成されていることを特徴とする、請求項１２に記載の液晶表示装置。
【請求項１７】
前記光遮断膜は前記ゲート線と同一の層であることを特徴とする、請求項１２に記載の液晶表示装置。
【請求項１８】
第１基板、前記第１基板に対向し共通電極が形成されている第２基板、および前記第１基板および前記第２基板の間に位置する液晶層を含む液晶表示装置において、
前記第１基板は、
複数の画素を定義するデータ線およびゲート線と、
前記データ線およびゲート線に電気的に接続されている薄膜トランジスタと、
前記薄膜トランジスタに電気的に接続されている画素電極と、
互いに異なる色の第１サブカラーフィルター、第２サブカラーフィルターおよび第３サブカラーフィルターを含むカラーフィルターと、
前記画素間の境界に位置した前記カラーフィルターの上に前記データ線に対して平行に形成されており、共通電圧が印加される遮蔽電極と、
前記画素間の境界で前記データ線に沿って形成されている光遮断膜と、
を含むことを特徴とする液晶表示装置。
【請求項１９】
前記光遮断膜は前記ゲート線と同一の層であり、フローティング状態であることを特徴とする、請求項１８に記載の液晶表示装置。
【請求項２０】
前記第１サブカラーフィルターは赤色、前記第２サブカラーフィルターは緑色、前記第３サブカラーフィルターは青色であり、
前記画素は前記第１サブカラーフィルターが形成されている第１画素、前記第２カラーフィルターが形成されている第２画素、前記第３サブカラーフィルターが形成されている第３画素を含み、
前記第１画素と前記第２画素の間の前記データ線に沿う第１境界で前記光遮断膜は前記第２画素の方向に偏って形成されていることを特徴とする、請求項１８に記載の液晶表示装置。
【請求項２１】
前記第２画素と前記第３画素の間の前記データ線に沿う第２境界で前記光遮断膜は前記第２画素の方向に偏って形成されていることを特徴とする、請求項２０に記載の液晶表示装置。
【請求項２２】
前記第１画素と前記第３画素の間の前記データ線に沿う第３境界で前記光遮断膜は前記第１画素の方向に偏って形成されていることを特徴とする、請求項２０に記載の液晶表示装置。
【請求項２３】
前記遮蔽電極の下部の前記カラーフィルターは前記第２基板に向かって突出している凸部を含み、
前記第１画素と前記第２画素の間の前記データ線に沿う第１境界で、前記第３サブカラーフィルターが前記第１サブカラーフィルターおよび前記第２サブカラーフィルターの間で前記凸部を形成することを特徴とする、請求項１８に記載の液晶表示装置。
【請求項２４】
前記第１サブカラーフィルターは赤色、前記第２サブカラーフィルターは緑色、前記第３サブカラーフィルターは青色であることを特徴とする、請求項２３に記載の液晶表示装置。
【請求項２５】
前記第２画素と前記第３画素の間の前記データ線に沿う第２境界で、前記第３サブカラーフィルターが前記凸部を形成し、
前記第１画素と前記第３画素の間の前記データ線に沿う第３境界で、前記第３サブカラーフィルターが前記凸部を形成することを特徴とする、請求項２４に記載の液晶表示装置。
【請求項２６】
前記薄膜トランジスタは第１薄膜トランジスタと第２薄膜トランジスタを含み、
前記画素電極は前記第１薄膜トランジスタに電気的に接続されている第１画素電極と、前記第１画素電極と分離されており前記第２薄膜トランジスタに電気的に接続されている第２画素電極とを含むことを特徴とする、請求項１８に記載の液晶表示装置。
【請求項２７】
前記第１薄膜トランジスタと前記第２薄膜トランジスタは同一の前記ゲート線に接続されており、
前記データ線は前記第１薄膜トランジスタに接続されている第１データ線と、前記第２薄膜トランジスタに接続されている第２データ線とを含むことを特徴とする、請求項２６に記載の液晶表示装置。
【請求項２８】
前記ゲート線の延長方向への前記光遮断膜の両端のうちの少なくともいずれか１つは前記第１データ線と前記第２データ線の間に位置することを特徴とする、請求項２７に記載の液晶表示装置。
【請求項２９】
前記画素電極には画素電極切開パターンが形成されており、
前記共通電極には共通電極切開パターンが形成されており、
前記液晶層は垂直配向（ｖｅｒｔｉｃａｌ  ａｌｉｇｎｍｅｎｔ）モードであることを特徴とする、請求項２７に記載の液晶表示装置。
【請求項３０】
前記遮蔽電極は前記画素電極と同一の層であり、
前記遮蔽電極は前記第１データ線と前記第２データ線を覆っていることを特徴とする、請求項２７に記載の液晶表示装置。
【請求項３１】
第１基板、前記第１基板に対向し共通電極が形成されている第２基板、および前記第１基板および前記第２基板の間に位置する液晶層を含む液晶表示装置において、
前記第１基板は、
複数の画素を定義するデータ線およびゲート線と、
前記データ線およびゲート線に電気的に接続されている薄膜トランジスタと、
前記薄膜トランジスタに電気的に接続されている画素電極と、
互いに異なる色の第１サブカラーフィルター、第２サブカラーフィルターおよび第３サブカラーフィルターを含むカラーフィルターと、
隣接した画素間の境界に前記データ線に沿って形成されている光遮断膜と、
を含み、
前記データ線は前記画素の右側に位置する第１データ線と前記画素の左側に位置する第２データ線を含み、
前記画素電極は前記第１データ線と前記第２データ線をカバーしていることを特徴とする液晶表示装置。
【請求項３２】
隣接した前記画素間の前記データ線に沿った境界で前記カラーフィルターは凹状であることを特徴とする、請求項３１に記載の液晶表示装置。
【請求項３３】
前記薄膜トランジスタは前記第１データ線と電気的に接続されている第１薄膜トランジスタと、前記第２データ線と電気的に接続されている第２薄膜トランジスタとを含み、
前記画素電極は前記第１薄膜トランジスタと電気的に接続されている第１画素電極と、前記第１画素電極と分離されており前記第２薄膜トランジスタと電気的に接続されている第２画素電極とを含むことを特徴とする、請求項３２に記載の液晶表示装置。
【請求項３４】
前記第２画素電極は前記第１画素電極を囲んでおり、
前記第２画素電極が前記第１データ線および前記第２データ線をカバーすることを特徴とする、請求項３３に記載の液晶表示装置。
【請求項３５】
前記光遮断膜は前記ゲート線と同一の層であり、フローティング状態であることを特徴とする、請求項３３に記載の液晶表示装置。
【請求項３６】
前記ゲート線の延長方向への前記光遮断膜の両端のうちの少なくともいずれか１つは前記第１データ線と前記第２データ線の間に位置することを特徴とする、請求項３３に記載の液晶表示装置。
【請求項３７】
前記第１サブカラーフィルターは赤色、前記第２サブカラーフィルターは緑色、前記第３サブカラーフィルターは青色であり、
前記画素は前記第１サブカラーフィルターが形成されている第１画素、前記第２カラーフィルターが形成されている第２画素、前記第３サブカラーフィルターが形成されている第３画素を含み、
前記第１画素と前記第２画素の間の前記データ線に沿う第１境界で前記光遮断膜は前記第２画素の方向に偏って形成されていることを特徴とする、請求項３３に記載の液晶表示装置。
【請求項３８】
前記第２画素と前記第３画素の間の前記データ線に沿う第２境界で前記光遮断膜は前記第２画素の方向に偏って形成されていることを特徴とする、請求項３７に記載の液晶表示装置。
【請求項３９】
前記第１画素と前記第３画素の間の前記データ線に沿う第３境界で前記光遮断膜は前記第１画素の方向に偏って形成されていることを特徴とする、請求項３７に記載の液晶表示装置。
【請求項４０】
前記画素電極には画素電極切開パターンが形成されており、
前記共通電極には共通電極切開パターンが形成されており、
前記液晶層は垂直配向（ｖｅｒｔｉｃａｌ  ａｌｉｇｎｍｅｎｔ）モードであることを特徴とする、請求項３３に記載の液晶表示装置。